(57)【特許請求の範囲】
【請求項１】
パネル本体（１）に、該パネル本体（１）の表側より裏側へ突き出されるブラケット位置決め用のロケート（８）を形成すると共に、該ロケート（８）の奥行方向壁面の一部を切欠してロケート窓（１０）となし、また上記パネル本体の裏側に取付けるべき一乃至複数のブラケット（５），（６），（７）には、上記ロケート（８）に嵌入されるロケート孔（５Ａ），（６Ａ），（７Ａ）を穿設し、上記ロケート（８）に、一乃至複数のブラケット（５），（６），（７）のロケート孔（５Ａ），（６Ａ），（７Ａ）を嵌入してブラケット（５），（６），（７）をパネル本体（１）に位置決めした状態を、上記ロケート窓（１０）から目視可能にしたことを特徴とするブラケット取付構造。
【発明の詳細な説明】
【０００１】
【発明の属する技術分野】
本発明は、車両の運転席前方に設備されるインストルメントパネル等のパネルの裏側に複数のブラケットを取付てなるブラケット取付構造に関するものである。
【０００２】
【従来の技術】
自動車車室内の運転席前方に設備される従来のインストルメントパネル構造として図５に示す如き構造のものがある。
【０００３】
すなわち、１は射出成形された樹脂製のインストルメントパネル本体であって、このインストルメントパネル本体形状は、周知のように、運転席側には計器取付用開口部２が、また中央部には空調装置、オーディオ装置等の操作パネル取付用開口部３が、さらに助手席側にはエアバッグモジュール、またはグローブボックス取付用開口部４等の各開口部が穿設されている。
【０００４】
このような樹脂製のインストルメントパネル本体１の裏側には、該インストルメントパネル本体１の強度を補うための金属製である補強用のブラケット５、及びエアバッグモジュールまたはグローブボックスの取付用となるブラケット６、さらには、インストルメントパネルセンター部の補強を行なうブラケット７を取付ける必要がある。
【０００５】
そして、上記のインストルメントパネル本体１の裏側に、上記各ブラケット５，６，７を取付け（固定）する従来手段としては、インストルメントパネル本体１の裏側に、各ブラケットを個別又は一括して、取付ねじ１３により締結（取付け）して、インストルメントパネル構体とするのが一般的であり、かくしてインストルメントパネル本体の裏側に各ブラケットを取付けたインストルメントパネル構体は、次の組立工程へと移送されて、例えば車体へ組付けられるものである。
【０００６】
【発明が解決しようとする課題】
ところが、インストルメントパネル本体の裏側で複数のブラケット５，６，７を取付けているインストルメントパネル構体を、例えば車体等に組付けた後においては、インストルメントパネル本体の裏側に取付けるべき各ブラケットの有無を確認することができず、従ってインストルメントパネル本体の裏側に、一部のブラケットが取付けられないままのインストルメントパネル構体が車体に組付けられたとき、車体組付後のインストルメントパネル構造のブラケット取付不備に気づくことができないものであった。
【０００７】
本発明はかかることに着目してなされたもので、インストルメントパネル本体の一部に、その表裏を貫通するロケート窓を有するブラケット位置決め用ロケートを設け、この窓を介してインストルメントパネル本体の表側よりインストルメントパネル本体の裏側に取付けられる各ブラケットの有無を確認することができるようにしたブラケット取付構造の提供を目的とする。
【０００８】
【課題を解決するための手段】
上記目的を達成するために、本発明では、パネル本体に、該パネル本体の表側より裏側へ突き出されるブラケット位置決め用のロケートを形成すると共に、該ロケートの奥行方向壁面の一部を切欠してロケート窓となし、また上記パネル本体の裏側に取付けるべき一乃至複数のブラケットには、上記ロケートに嵌入されるロケート孔を穿設し、上記ロケートに、一乃至複数のブラケットの各ロケート孔を共に嵌入して各ブラケットをインストルメントパネル本体に位置決めした状態を、上記ロケート窓から目視可能にした構造であることを特徴としている。
【０００９】
【発明の実施の形態】
以下に本発明を図面に示す実施形態に基いて詳細に説明するが、本実施形態の構造と、従来例で説明した構造との同一部分は、従来例で使用した符号を引用して、その同一構造部分の構造説明は省略する。
【００１０】
すなわち、図１乃至図３の本実施形態では、樹脂製のインストルメントパネル本体の一部分、つまり外部からはあまり目立たない位置であって、しかも各ブラケットの取付け対応位置に、インストルメントパネル本体の表側より裏側に向って出窓状に突出されるブラケット位置決め用のロケート８を一体形成している。この実施形態におけるロケート８の断面形状は、その突出方向に沿って内径が漸次小さくなる傾斜壁９が形成されているが、この傾斜壁９を形成した理由は、ロケート８を形成すべき型の型抜きを容易ならしめるためである。従って型抜きが容易に行なえるものであれば、必ずしも傾斜壁とする必要はなく、水平壁であってもよい。
【００１１】
ロケート８を形成している下側壁すなわち、上記傾斜壁９との対向壁は切欠されており、インストルメントパネル本体の表側と裏側を貫通するロケート窓１０が穿設されている。
【００１２】
５，６，７は上述したブラケットであって、これらのブラケット５，６，７には、上記のロケート８が嵌入されるそれぞれの矩形のロケート孔５Ａ，６Ａ，７Ａが穿設されている。
【００１３】
１１は上記ブラケット５，６，７を、インストルメントパネル本体１へ固定するための取付ねじ、１２はその取付ねじ１１に締結されるナットを示す。
【００１４】
以上が本実施形態であるが、次にその作用について述べると、樹脂成形されたインストルメントパネル本体１には、先ず上記の各ブラケット５，６，７を取付け、次いでそのブラケット５，６，７を介して、例えばエアバッグモジュール等の構造物を取付けるのであるが、上記各ブラケット５，６，７を、インストルメントパネル本体１の裏側に取付ける手順としては、それら各ブラケット５，６，７に予め形成されているロケート孔５Ａ，６Ａ，７Ａを、インストルメントパネル本体１の裏側に突き出されているロケート８に係合させて、各ブラケット５，６，７を共にインストルメントパネル本体１の裏側で位置決めする。
【００１５】
かくしてインストルメントパネル本体１に位置決めされている各ブラケット５，６，７と、そのインストルメントパネル本体１とを、取付ねじ１１及びナット１２により締結し、インストルメントパネル本体１と各ブラケット５，６，７が一体となしたインストルメントパネル構体が得られる。このインストルメントパネル構体にあっては、ロケート８に形成されているロケート窓１０によって、そのインストルメントパネル構体の表側より、該ロケート８に支持されている各ブラケット５，６，７の孔縁つまりロケート孔５Ａ，６Ａ，７Ａの孔縁（下端縁）が目視される。
【００１６】
従って、各ブラケット５，６，７が、インストルメントパネル本体１の裏側に取付けられているか否かがインストルメントパネル構体を裏返しにすることなく、インストルメントパネル構体の表側より目視確認することが容易である。
【００１７】
従ってインストルメントパネル本体の裏側に取付けるべき各ブラケットが適正に取付けられているか否かを、インストルメントパネル本体の表側から、ロケート窓１０を透して確認することができるので、例えばインストルメントパネル構体を車体に取付ける直前又は直後においても、それを裏返しにすることなくインストルメントパネル本体に各ブラケットが適正に取付けられているか否かを容易に確認することができ、ブラケットの取付不備等を未然に防止することができる。
【００１８】
また、図４に示す本発明の他の実施形態では、ロケート８において、ロケート８の先端に向って上方向へ傾斜するロケート窓１０を形成し、また各ブラケット５，６，７に形成する各ロケート孔５Ａ，６Ａ，７Ａの口径は、ロケート孔５Ａよりもロケート孔６Ａを小さく、またロケート孔７Ａは、ロケート孔６Ａよりも小さく設定することにより、ロケート８によって位置決めされている各ブラケット５，６，７のロケート孔５Ａ，６Ａ，７Ａ辺縁が段差を有して位置されていることから、それらロケート孔５Ａ，６Ａ，７Ａの辺縁が外部から見易くなり、これにより各ブラケット５，６，７の取付けが適正であるか否かの確認がさらに容易となる。
【００１９】
【発明の効果】
このように本発明によれば、インストルメントパネル等のパネル本体の裏側に取付けるべきブラケットの有無がそのパネル本体の表側よりロケート窓１０を透して目視することができるので、例えばインストルメントパネル構体を車体等に取付けた後であっても、インストルメントパネル本体の裏側でブラケットが適正に取付けられているか否かの確認を容易に行なうことができる。
【図面の簡単な説明】
【図１】本発明の実施形態を示した要部断面図。
【図２】本発明の実施形態を示した要部断面拡大図。
【図３】図２の矢Ｅ方向斜視図。
【図４】本発明の他の実施形態を示した要部断面図。
【図５】従来例の説明図。
【符号の説明】
１…インストルメントパネル本体      ２…計器取付用開口部
３…操作パネル取付用開口部          ４…グローブボックス取付用開口部
５…ブラケット                      ６…ブラケット
７…ブラケット                      ８…ロケート
９…傾斜壁                          １０…ロケート窓
１１…取付ねじ                      １２…ナット
１３…取付ねじ
【図１】
0003698826.tif 000002
【図２】
0003698826.tif 000003
【図３】
0003698826.tif 000004
【図４】
0003698826.tif 000005
【図５】
0003698826.tif 000006